(57)【要約】【課題】イーサネット（登録商標）ケーブルから芯線を引き出すためのイーサネット（登録商標）ケーブルの切断面を塞ぐことにより、イーサネット（登録商標）ケーブル内部の気密性を高い状態に保つことができるコネクタを提供することである。【解決手段】本発明に係るコネクタは、ハウジング１１と、ケーブルを押さえて固定するケーブル押さえ部１２と、ハウジング１１内部におけるケーブル押さえ部１２付近の空隙を充填する充填剤とを備え、充填剤は、ケーブル１７の切断面であって、そこからケーブルの芯線１８が引き出される当該ケーブル１７の切断面を塞ぐようにハウジング１１内に充填されていることを特徴とする。【選択図】図１
2013004269.tif 000002
【特許請求の範囲】
【請求項１】
ハウジングと、
ケーブルを押さえて固定するケーブル押さえ部と、
前記ハウジング内部における前記ケーブル押さえ部付近の空隙を充填する充填剤と
を備え、
前記充填剤は、前記ケーブルの切断面であって、そこから前記ケーブルの芯線が引き出される当該ケーブルの切断面を塞ぐように前記ハウジング内に充填されていること
を特徴とするコネクタ。
【請求項２】
前記充填剤は、気密性のある気密充填剤である請求項１に記載のコネクタ。
【請求項３】
前記ケーブルの芯線を押さえて固定する芯線押さえ部を備えた請求項１に記載のコネクタ。
【発明の詳細な説明】
【技術分野】
【０００１】
本発明はコネクタに関し、特に、イーサネット（登録商標）ケーブル用のコネクタに関するものである。
【背景技術】
【０００２】
イーサネット（登録商標）（Ethernet（登録商標））はコンピュータネットワークの規格であり、ＬＡＮ（Local Area Network）などにおいて使用される。イーサネット（登録商標）ケーブルは、イーサネット（登録商標）の接続に使用されるケーブルであり、両端がＲＪ−４５プラグになっているものが広く普及している。
【０００３】
図３にイーサネット（登録商標）ケーブル３０の断面を示す。イーサネット（登録商標）ケーブル３０は、外皮３１の中にツイストペアケーブル３２を４対包んだ構造になっている。ツイストペアケーブル３２は、それぞれが２本の電線を対にしてより合わせた構造である。この構造は、単なる平行線の構造と比べてノイズの影響を受けにくい。
【０００４】
外皮３１の内部において、ツイストペアケーブル３２が存在しない部分は空洞３３となる。空洞３３には空気が存在し、この空気はツイストペア３２を酸化などにより劣化させる要因になる。したがって、イーサネット（登録商標）ケーブル３０の空洞３３は、密閉することにより高い気密性を有するようにすることが好ましい。
【０００５】
図２に従来のイーサネット（登録商標）ケーブル用コネクタ２０の構造の断面を示す。イーサネット（登録商標）ケーブル３０はケーブル押さえ部２２によって押しつぶされて固定される。このようにイーサネット（登録商標）ケーブル３０を押しつぶして固定することにより、イーサネット（登録商標）ケーブル３０内の空洞３３は、ケーブル押さえ部２２に対応する位置においてある程度密閉される。また、ケーブル押さえ部２２の周辺において気密充填剤２６をハウジング２１内に充填することにより、イーサネット（登録商標）ケーブル３０の切断面への空気の流れを防ぎ、さらにイーサネット（登録商標）ケーブル３０内部の気密性を高めている。
【０００６】
また、コネクタを収納するケースの防水性を高める観点から、ケース内にガスケットを用いてコネクタを収納するケースの防水性を高め、それによりケース内の気密性を高める発明が知られている（特許文献１参照）。
【先行技術文献】
【特許文献】
【０００７】
【特許文献１】特開２００７−２２０３７５号公報
【発明の概要】
【発明が解決しようとする課題】
【０００８】
イーサネット（登録商標）ケーブル３０内部の気密性を高めるためには、イーサネット（登録商標）ケーブル３０の少なくとも１箇所において、空洞３３が塞がれていることが好ましい。従来技術は、図２に示すように、ケーブル押さえ部２２によってイーサネット（登録商標）ケーブル３０を押しつぶすことにより空洞３３を押しつぶし、また、ケーブル押さえ部２２の周辺において気密充填剤２６をハウジング２１内に充填することによりイーサネット（登録商標）ケーブル３０内の気密性をある程度高めている。
【０００９】
しかしながら、この方法によっては、イーサネット（登録商標）ケーブル３０の内部を完全に密閉できるわけではない。イーサネット（登録商標）ケーブル３０から芯線を引き出すためのイーサネット（登録商標）ケーブルの切断面から空気がイーサネット（登録商標）ケーブル３０内部の空洞３３に入り込むが、ケーブル押さえ部２２によっては、完全にイーサネット（登録商標）ケーブル３０内部の空洞３３を完全に押しつぶすことはできないからである。
【００１０】
したがって、かかる点に鑑みてなされた本発明の目的は、イーサネット（登録商標）ケーブルから芯線を引き出すためのイーサネット（登録商標）ケーブルの切断面を塞ぐことにより、イーサネット（登録商標）ケーブル内部の気密性を高い状態に保つことができるコネクタを提供することである。
【課題を解決するための手段】
【００１１】
上記目的を達成する第１の観点に係るコネクタの発明は、
ハウジングと、
ケーブルを押さえて固定するケーブル押さえ部と、
前記ハウジング内部における前記ケーブル押さえ部付近の空隙を充填する充填剤と
を備え、
前記充填剤は、前記ケーブルの切断面であって、そこから前記ケーブルの芯線が引き出される当該ケーブルの切断面を塞ぐように前記ハウジング内に充填されていること
を特徴とする。
【００１２】
第２の観点に係る発明は、前記充填剤は、気密性のある気密充填剤であることを特徴とする。
【００１３】
第３の観点に係る発明は、前記ケーブルの芯線を押さえて固定する芯線押さえ部を備えたことを特徴とする。
【発明の効果】
【００１４】
本発明によれば、イーサネット（登録商標）ケーブルから芯線を引き出すためのイーサネット（登録商標）ケーブルの切断面を塞ぐことにより、イーサネット（登録商標）ケーブル内部の気密性を高い状態に保つことができるコネクタを提供することができる。
【図面の簡単な説明】
【００１５】
【図１】本発明の一実施形態に係るコネクタを示す断面図である。
【図２】従来のコネクタを示す断面図である。
【図３】イーサネット（登録商標）ケーブルの断面図である。
【発明を実施するための形態】
【００１６】
以下、本発明に係るコネクタの一実施形態について、図面を参照して説明する。
【００１７】
図１は、本発明の一実施形態に係るコネクタ１０を示す断面図である。コネクタ１０は、ハウジング１１、ケーブル押さえ部１２、芯線押さえ部１３、圧着端子１４、イーサ端子１５および気密充填剤１６を備える。
【００１８】
ハウジング１１は、コネクタ１０全体を囲う部分であり、ケーブル押さえ部１２、芯線押さえ部１３、圧着端子１４、イーサ端子１５および気密充填剤１６を囲う。また、ハウジング１１には、イーサネット（登録商標）ケーブル１７が挿しこまれる。
【００１９】
ケーブル押さえ部１２は、コネクタ１０に挿し込まれるイーサネット（登録商標）ケーブル１７を押しつぶすようにしてコネクタ１０に固定する。このようにイーサネット（登録商標）ケーブル１７を押しつぶすことによって、ケーブル押さえ部１２は、イーサネット（登録商標）ケーブル１７内部の空洞をある程度つぶすことができる。
【００２０】
芯線押さえ部１３は、圧着端子１４の上部まで延ばされたイーサネット（登録商標）ケーブル１７の芯線１８を圧着端子１４に対して押さえつけ、芯線押さえ部１３と圧着端子１４との間に芯線１８を固定する。コネクタ１０に芯線押さえ部１３があればよいがなくてもよい。
【００２１】
芯線１８は、イーサネット（登録商標）ケーブル１７とイーサ端子１５とを電気的に接続するために、イーサネット（登録商標）ケーブル１７から引き出された線である。芯線１８を引き出す際には、芯線１８を引き出す長さ分だけイーサネット（登録商標）ケーブル１７の外皮が切り取られ、イーサネット（登録商標）ケーブル１７は、外皮を切り取った部分において切断面を有することになる。イーサネット（登録商標）ケーブル１７の切断面は、塞がれていない場合、そこから空気がイーサネット（登録商標）ケーブル１７内部の空洞に入り込んでしまうため、イーサネット（登録商標）ケーブル１７内部の気密性を低下させる要因になる。
【００２２】
圧着端子１４は導体であり、イーサネット（登録商標）ケーブル１７の芯線１８とイーサ端子１５とを電気的に接続する。図１においては、圧着端子１４は１つのみ示されているが、実際には、イーサネット（登録商標）ケーブル１７は８本の芯線１８を有するため、それに対応して、コネクタ１０は８つの圧着端子１４を備える。
【００２３】
イーサ端子１５は、外部コネクタと接続する際に、外部コネクタに挿し込まれる部分である。図１においては、１つの圧着端子１４のみが示されているが、８つの圧着端子１４の一部がイーサ端子１５に挿し込まれている。
【００２４】
気密充填剤１６は、イーサネット（登録商標）ケーブル１７内部の気密性を高めるためにハウジング１１の内部に充填される。本実施形態においては、気密充填剤１６は、イーサネット（登録商標）ケーブル１７の切断面を完全に塞ぐようにして、ハウジング１１内に充填される。例えば、気密充填剤１６は、接着剤のようなものである。
【００２５】
このように、イーサネット（登録商標）ケーブル１７の切断面を気密充填剤１６によって完全に塞ぐことにより、イーサネット（登録商標）ケーブル１７内部の空洞には、空気が入り込むことができなくなる。その結果、イーサネット（登録商標）ケーブル１７内部の気密性は、ケーブル押さえ部１２によってイーサネット（登録商標）ケーブル１７内部の空洞を押しつぶすことによって実現していた気密性よりも高い気密性を実現することができる。なお、気密充填剤１６は、厳密に気密を確保できなくても良く、イーサネット（登録商標）ケーブル１７の切断面を覆って固定できるもの（充填剤）でもよい。
【００２６】
このように、本実施形態によれば、イーサネット（登録商標）ケーブル１７から芯線１８を引き出すためのイーサネット（登録商標）ケーブル１７の切断面において切断面全体を塞ぐように気密充填剤１６を充填することにより、イーサネット（登録商標）ケーブル１７内部の気密性を高い状態に保つことができるコネクタ１０を提供することすることができる。
【００２７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【００２８】
なお、上述の実施例においては、イーサネット（登録商標）ケーブルを例に説明したが、ケーブル内部に空洞を有し、芯線を引き出すための切断面がコネクタ内部に位置するケーブルであれば本発明を同様に適用することができる。
【符号の説明】
【００２９】
１０  コネクタ
１１  ハウジング
１２  ケーブル押さえ部
１３  芯線押さえ部
１４  圧着端子
１５  イーサ端子
１６  気密充填剤
１７  イーサネット（登録商標）ケーブル
１８  芯線
【図１】
2013004269.tif 000003
【図２】
2013004269.tif 000004
【図３】
2013004269.tif 000005